(57)【特許請求の範囲】
【請求項１】
長尺状の収納物を出し入れ可能に収納できる収納ケースにおいて、本体部材、スライド部材、収納部材及び蓋部材を有し、前記スライド部材は係止部を有して本体部材にスライド可能に保持されており、前記収納部材は収納物が収納可能な収納空間を有し、前記収納空間の長手方向の一方には開口が設けられ、長手方向の他方で収納部材は本体部材に回転可能に軸支されており、前記蓋部材は収納部材の開口側に配置されて収納空間に収納された収納物の移動を阻止し、本体部材に対して回転可能に軸支されて開く方向に回転力が付与されており、蓋部材の係止部とスライド部材の係止部とが係合することによって蓋部材が前記開口を封鎖する状態を維持することができ、スライド部材をスライドすると前記係合が解け、蓋部材が開くように回転して収納部材が回転し、収納物の開口側への移動阻止を解除することを特徴とする収納ケース。
【請求項２】
蓋部材には当接面が設けられており、蓋部材が回転する際に前記当接面が収納部材に設けられた接触部に接触することにより収納部材の回転を行うものであることを特徴とする請求項１に記載の収納ケース。
【請求項３】
蓋部材の回転軸方向の両端には欠落部が設けられ、前記欠落部の端部が当接面となっており、収納部材の接触部は２カ所設けられて、接触部同士の間に蓋部材が配置されていることを特徴とする請求項２に記載の収納ケース。
【請求項４】
蓋部材には円筒部が設けられ、前記円筒部の内側には本体部材に固定されて外形断面が円形である挿入部材が挿入されており、蓋部材が回転する際には挿入部材の外側と円筒部の内側との間で摩擦力が発生することを特徴とする請求項１〜３のいずれかに記載の収納ケース。
【請求項５】
挿入部材と円筒部との間には粘性体があることを特徴とする請求項４に記載の収納ケース。
【請求項６】
全体形状が上面及び上面に対向する下面を有する板状であり、上面と下面との間に収納空間が配置されるものであり、蓋部材には板部が設けられ、蓋部材が閉じた状態では前記板部が上面の一部を形成し、蓋部材が完全に開いた状態では前記板部が下面を越えるものであることを特徴とする請求項１〜５のいずれかに記載の収納ケース。
【発明の詳細な説明】
【技術分野】
【０００１】
本発明は、彫刻刀などを収納できる収納ケースに関するものである。
【背景技術】
【０００２】
従来より、彫刻刀は、刃先の形状の異なる複数の種類の彫刻刀をセットとして販売されている。そして、これらの彫刻刀は収納ケースに入れられている。また、彫刻刀の収納ケースは、彫刻刀の長手方向を一定の方向として、彫刻刀を並列状態にして収納されている。
【０００３】
この収納ケースを改良したものが、例えば、特許文献１を含め、多くの文献により開示されている。
【特許文献１】特開２０００−９３２２１号公報
【発明の開示】
【発明が解決しようとする課題】
【０００４】
彫刻刀などの長尺状の収納物を収納する収納ケースは、収納時には確実に収納することができ、収納ケースを開ける際には収納物の飛び出しなどが無く、取り出しの際には必要な収納物の取り出しが行いやすいことが望ましい。特に、彫刻刀などの場合には、誤って刃先が触れるとけがのおそれがある。しかし、従来の彫刻刀ケースでは、確実に収納することが出来るものでは取り出しにくくなってしまい、取り出しやすく収納を確実とすると、構造が複雑になってしまう。
【０００５】
また、彫刻刀などを用いる場合に、使用中に刃先を違うものなど別の種類の収納物に変えて使用することがある。そして、収納ケースを開放状態としながら彫刻刀が外部に出にくい状態とすることができれば、使用時には開放状態としておくことにより彫刻刀などの収納物の交換を行いやすい。
【０００６】
そこで、本発明は、開閉がしやすく、使用時には開放状態として収納物の交換が行いやすい収納ケースを提供することを目的とする。
【課題を解決するための手段】
【０００７】
そして、上記した目的を達成するための請求項１に記載の発明は、長尺状の収納物を出し入れ可能に収納できる収納ケースにおいて、本体部材、スライド部材、収納部材及び蓋部材を有し、前記スライド部材は係止部を有して本体部材にスライド可能に保持されており、前記収納部材は収納物が収納可能な収納空間を有し、前記収納空間の長手方向の一方には開口が設けられ、長手方向の他方で収納部材は本体部材に回転可能に軸支されており、前記蓋部材は収納部材の開口側に配置されて収納空間に収納された収納物の移動を阻止し、本体部材に対して回転可能に軸支されて開く方向に回転力が付与されており、蓋部材の係止部とスライド部材の係止部とが係合することによって蓋部材が前記開口を封鎖する状態を維持することができ、スライド部材をスライドすると前記係合が解け、蓋部材が開くように回転して収納部材が回転し、収納物の開口側への移動阻止を解除することを特徴とする収納ケースである。
ここで、長手方向とは、長尺状の収納物が収納された状態における長手方向を意味するものである。
【０００８】
請求項１に記載の発明によれば、長尺状の収納物の出し入れを容易に行うことができ、また、蓋を開ける作業、蓋を閉じる作業を容易に行うことができる。すなわち、蓋部材は開く方向に回転力が付与されており、スライド部材と蓋部材との係止部同士を係合することによって、開口を封鎖する状態を維持することができる。また、開く際には、スライド部材を移動させることにより、前記係合がはずれて自動的に開き、また、閉じるときには蓋部材を反転させることにより行う。さらに、蓋部材が開くと、収納部材が回転して傾斜するので、取り出しやすく蓋を開けた状態でも収納物が外部に出にくい。
【０００９】
請求項２に記載の発明は、蓋部材には当接面が設けられており、蓋部材が回転する際に前記当接面が収納部材に設けられた接触部に接触することにより収納部材の回転を行うものであることを特徴とする請求項１に記載の収納ケースである。
【００１０】
請求項２に記載の発明によれば、蓋部材が回転する際に当接面が収納部材の接触部に接触することにより収納部材の回転させることができるので、容易に収納部材の傾斜を行うことができる。
【００１１】
請求項３に記載の発明は、蓋部材の回転軸方向の両端には欠落部が設けられ、前記欠落部の端部が当接面となっており、収納部材の接触部は２カ所設けられて、接触部同士の間に蓋部材が配置されていることを特徴とする請求項２に記載の収納ケースである。
【００１２】
請求項３に記載の発明によれば、欠落部を形成することにより当接面を容易に形成することができる。
【００１３】
請求項４に記載の発明は、蓋部材には円筒部が設けられ、前記円筒部の内側には本体部材に固定されて外形断面が円形である挿入部材が挿入されており、蓋部材が回転する際には挿入部材の外側と円筒部の内側との間で摩擦力が発生することを特徴とする請求項１〜３のいずれかに記載の収納ケースである。
【００１４】
請求項４に記載の発明によれば、蓋部材が回転する際には挿入部材の外側と円筒部の内側との間で摩擦力が発生するので、蓋部材が開く際の速度をゆっくりとすることができる。
【００１５】
請求項５に記載の発明は、挿入部材と円筒部との間には粘性体があることを特徴とする請求項４に記載の収納ケースである。
【００１６】
請求項５に記載の発明によれば、挿入部材と円筒部との間には粘性体があるので、蓋部材の回転速度の調節が容易となる。
【００１７】
請求項６に記載の発明は、全体形状が上面及び上面に対向する下面を有する板状であり、上面と下面との間に収納空間が配置されるものであり、蓋部材には板部が設けられ、蓋部材が閉じた状態では前記板部が上面の一部を形成し、蓋部材が完全に開いた状態では前記板部が下面を越えるものであることを特徴とする請求項１〜５のいずれかに記載の収納ケースである。
【００１８】
請求項６に記載の発明によれば、蓋部材には板部が設けられ、蓋部材が閉じた状態では前記板部が上面の一部を形成し、蓋部材が完全に開いた状態では前記板部が下面を越えるものであるので、蓋部材が完全に開いた状態での傾斜角度を大きくすることができ、収納物を取り出しやすく、蓋を開けた状態でも収納物が外部に出にくい。。
【発明の効果】
【００１９】
本発明の収納ケースは、開閉がしやすく、使用時には開放状態としても収納物が外部に出にくく、収納物の収納・取り出しが容易である。
【発明を実施するための最良の形態】
【００２０】
本発明の具体的実施例について説明する。図１、図２は、本発明の収納ケースを示した斜視図である。図３は収納部材を示した斜視図である。図４は底ケース部材を示した斜視図である。図５、図６は、上ケース部材を示した斜視図である。図７は、本体ケースを示した斜視図である。図８は、スライド部材を示した斜視図である。図９は、蓋部材と挿入部材とばねとを示した斜視図である。図１０は、（ａ）が蓋部材及び挿入部材の内部とばねとを示した斜視図であり、（ｂ）が（ａ）のＡ方向から見た斜視図である。図１１〜図１４は収納部材、蓋部材及びスライド部材の関係を横から見た状態で示した模式図である。図１５〜図１７は収納部材、蓋部材、スライド部材及び本体部材の底面の関係を横から見た状態で示した模式図である。
【００２１】
本発明の第１の実施形態における収納ケース１は、図１に示されるように、外形がやや丸みを帯びた板状のケースであり、収納部材１０、本体部材１１、スライド部材１２及び蓋部材１３が設けられている。そして、収納ケース１を開く場合には、スライド部材１２をスライドさせることにより蓋部材１３が回転するものであり、蓋部材１３が開くと、図２に示されるように、収納部材１０が上側に向かって回転する。
また、上記の、収納ケース１を構成する部材は樹脂の成形品が用いられているが、他の材質を用いることができる。
【００２２】
本実施形態の収納ケース１に収納される収納物は、図１８に示されるような彫刻刀９０であり、収納ケース１には彫刻刀９０の刃先９１の種類の異なるものを複数収納することができる。
【００２３】
収納部材１０は、図３に示されるように、２つの部材が上下に合わさって構成されており、具体的には、下側に底ケース部材２０が、上側に上ケース部材２１が設けられている。
底ケース部材２０は、図３、図４に示されるように、上部及び開口３９となる一つの側面が開放し、底面２５、横側面２７，２８、後側面２９により囲まれる収納空間２６を有している。そして、収納空間２６を仕切る複数の仕切板２３が設けられている。仕切板２３は彫刻刀９０の長手方向に沿って設けられるものであり、横側面２７、２８に沿う方向に設けられ、仕切板２３同士はほぼ平行である。したがって、仕切板２３及び横側面２７、２８により長手方向に延びる複数の空間ができる。
【００２４】
また、後側面２９は長手方向に垂直な面である。そして、後側面２９には切り欠き部３０が設けられており、仕切板２３によって仕切られた複数の空間に対応して設けられている。この切り欠き部３０の大きさは、彫刻刀９０の刃先９１の断面形状よりも大きいものである。
【００２５】
横側面２７、２８には、外側に向かって突出する突起３１が設けられている。突起３１は、上ケース部材２１に設けられている凹部３２に対応する位置に設けられて、突起３１を凹部３２に挿入して、底ケース部材２０と上ケース部材２１とを一体化して固定する。また、横側面２７、２８の開放された側面側は内側に位置している。
【００２６】
上ケース部材２１は、図５及び図６に示されている。なお、図６は図５の状態から裏表を反対とした状態の図である。
上ケース部材２１は、天板部３３と、天板部３３に接続する側板部３５、３６及びアーム３７、３８とを有している。そして、天板部３３を底ケース部材２０の収納空間２６の上部に、側板部３５、３６を底ケース部材２０の横側面２７、２８の外側となるようにして重ね合わせて一体化する。
【００２７】
そして、重ね合わせると、上ケース部材２１に設けられている凹部３２と底ケース部材２０の突起３１によって一体化して、上ケース部材２１と底ケース部材２０とが固定し、仕切板２３の上側と、２条突起４０とが係合する。したがって、収納空間２６は、長手方向に長くなるように複数に仕切られている。
【００２８】
上ケース部材２１と底ケース部材２０とが一体化した収納部材１０は、図３に示されるように、底ケース部材２０の後側面２９よりも外側の部分も天板部３３が覆う部分である外側空間４２が設けられており、彫刻刀９０が収納されるとこの外側空間４２に刃先９１が収納される。
【００２９】
また、上ケース部材２１の外側空間４２側には軸突起４３が設けられている。軸突起４３は、図５に示されるように、上ケース部材２１の側板部３５、３６の外側に設けられている。軸突起４３の形状は軸が長手方向に対して垂直である円柱の下側の部分を傾斜状に切り欠いた形状であり、また、両側の軸突起４３の軸は同軸となっている。
【００３０】
アーム３７、３８は、側板部３５、３６から、軸突起４３とは反対側に延びた部分である。また、アーム３７、３８の先端部（接触部）３７ａ、３８ａは、根元に比べて、上下方向の幅が狭く、アーム３７、３８同士の間隔が広くなっている。また、この先端部３７ａ、３８ａは、後述するように蓋部材１３の当接面８１、８２と接触する部分である。
【００３１】
本体部材１１は、図７に示されており、底面部４８、横側面４５、４６及び後側面４７が設けられ、底面部４８、横側面４５、４６及び後側面４７に囲まれる空間５０を有している。横側面４５、４６及び後側面４７は外側が曲面状となっている。
【００３２】
横側面４５、４６には空間５０から外部に通じる貫通孔５２が設けられている。横側面４５には、内側に向かって突出する円筒突起５３、５５が設けられている。また、横側面４６には、内側に向かって突出する円筒突起５４と、小判突起５７が設けられている。円筒突起５３、５４、５５には内側に円形の凹部５３ａ、５４ａ、５５ａが設けられており、小判突起５７には小判型の凹部５７ａが設けられている。
【００３３】
円筒突起５３の凹部５３ａの中心軸と円筒突起５４の凹部５４ａの中心軸とは同軸であり、収納部材１０の上ケース部材２１の軸突起４３、４３が挿入される。また、円筒突起５５の凹部５５ａの中心軸と、後述する挿入部材６０の突起部６０ａを小判突起５７の凹部５７ａに挿入したときの、挿入部材６０の中心軸とが同軸である。
【００３４】
また、底面部４８には、長手方向に垂直に延びる仕切部５１が設けられている。そして、仕切部５１の円筒突起５３及び円筒突起５４側の空間５０には収納部材１０が、仕切部５１の円筒突起５５及び小判突起５７側の空間５０にはスライド部材１２と蓋部材１３とが配置される。
【００３５】
また、横側面４５、４６には内側に突出し長手方向に延びる突条５８が設けられ、突条５８によって後述するスライド部材１２の突起６５をガイドする。
【００３６】
スライド部材１２は、図８に示されており、操作部６１、６１と、底板６２と、底板６２から突出した付勢部６３と、突起６５、６５が設けられている。
スライド部材１２の付勢部６３は、仕切部５１に接触することで、仕切部５１から離れる方向に付勢する。そして、操作部６１が本体部材１１の貫通孔５２の内側から外側に向かって挿入される。
【００３７】
蓋部材１３は、図９に示されており、円筒部６６、板部６７と側面部６８，６８が設けられている。
円筒部６６の内部は、図１０に示されるように、円板部７１で仕切られており、一方側には２条突起７３が設けられて、他方側は、円状突起７２が設けられている。円板部７１の位置は、円筒部６６の他方側に近い部分に位置しており、円状突起７２の外径が本体部材１１の円筒突起５５の内径にほぼ等しいので、円筒部６６の他方側は円筒突起５５と係合して円筒部６６が軸支される。
【００３８】
また、円筒部６６の両端は約半周が欠落している欠落部８０を有しており、欠落部８０の両端は段状となって、当接面８１、８２が設けられている。
【００３９】
蓋部材１３の板部６７は円筒部６６の両端付近に位置し、係止部６９が設けられている。係止部６９は凸部６９ａと凹部６９ｂとを有し、スライド部材１２の係止部６４との係合を行う。具体的には、図８に示すように、スライド部材１２の係止部６４には凸部６４ａ及び凹部６４ｂが設けられており、蓋部材１３の凸部６９ａがスライド部材１２の凹部６４ｂに入り込み、蓋部材１３の凹部６９ｂがスライド部材１２の凸部６４ａに入り込む。また、凸部６４ａ及び凸部６９ａは外側が傾斜しているので、係合していない状態で蓋部材１３とスライド部材１２とを上下方向に押しつける方向に力を加えると、スライド部材１２が移動して係合状態とすることができる。
【００４０】
また、円筒部６６の一方側はばね７０が挿入される。ばね７０はコイル状であり、両端には端部７５及び端部７６が設けられている。端部７５及び端部７６は、ばね７０のコイルの軸線に対して垂直に交差する方向に延びる部分である。
【００４１】
そして、ばね７０の端部７５が２条突起７３に係合し、また、ばね７０の端部７６が挿入部材６０の２条突起７７に係合して、蓋部材１３と挿入部材６０との間で回転力を発生させる。
ここで、挿入部材６０は外形断面が円形であって、一方が封鎖された筒状であり、封鎖された側には突起部６０ａが設けられ、筒状の内部にはばね７０が挿入される。
【００４２】
また、挿入部材６０は、突起部６０ａが小判突起５７の凹部５７ａに挿入されるので、挿入部材６０は本体部材１１に対して回転することができない。したがって、蓋部材１３と本体部材１１との間にはばね７０の回転力が働く。また、本実施形態では、蓋部材１３が開く方向に回転力を与えるように挿入部材６０、ばね７０、蓋部材１３を係合している。
【００４３】
そして、収納ケース１の組立は以下の通りに行うことができる。
まず、スライド部材１２を本体部材１１にセットする。このとき、スライド部材１２に設けられた２カ所の操作部６１を、本体部材１１の横側面４５，４６に設けられた貫通孔５２に内側から外側に挿入する。
【００４４】
次に、底ケース部材２０と上ケース部材２１とを一体化した収納部材１０を本体部材１１と連結する。このとき軸突起４３、４３が円筒突起５３、５４に挿入されるようにして、収納部材１０が本体部材１１に対して回転できるようにしておく。なお、軸突起４３は下側が傾斜しているので、円筒突起５３、５４への挿入を容易に行うことができる。なお、収納部材１０の回転軸は長手方向に垂直であり、板状のケースである収納ケース１の板面に平行な方向である。
【００４５】
そして、蓋部材１３、ばね７０及び挿入部材６０を連結した状態で、本体部材１１にセットする。具体的には、蓋部材１３を開放した状態で、突起部６０ａを小判突起５７の凹部５７ａに挿入し、円状突起７２を円筒突起５５に挿入する。このとき、ばね７０が圧縮するので容易に挿入でき、また、挿入後はばね７０によって挿入方向に付勢されるので、離脱しにくい。また、蓋部材１３の回転軸は長手方向に垂直であり、板状のケースである収納ケース１の板面に平行な方向である。
【００４６】
このとき、収納部材１０のアーム３７、３８の先端部３７ａ、３８ａが蓋部材１３の円筒部６６の欠落部８０に配置するようにする。
【００４７】
なお、挿入部材６０の外周面に粘性体を塗布しておき、挿入部材６０の外周面と蓋部材１３の円筒部６６の内周面との間の摩擦を粘性体を介して行うようにしておく。そうすると、蓋部材１３の回転の際に粘性体によるせん断抵抗が発生し、回転をゆっくりとすることができる。この粘性体の粘度は、隙間や挿入部材６０の外周面の面積などに応じて所定のものを用いることができる。また、挿入部材６０を蓋部材１３に挿入した後に、粘性体を注入しても良い。
【００４８】
さらに、この状態で蓋部材１３を閉める方向に回転させて、蓋部材１３の係止部６９とスライド部材１２の係止部６４とを係合させることにより、閉じた状態を維持する。
なお、蓋部材１３が開いた状態では、図２にも示されるように、円筒部６６の欠落部８０は上側にあり、収納部材１０のアーム３７，３８の先端部３７ａ、３８ａが欠落部８０に配置される関係上、収納部材１０が傾斜することになるが、蓋部材１３を閉めることにより円筒部６６が回転して欠落部８０が反転して下側に移動し、収納部材１０の傾斜が無くなる。また、収納部材１０の開口３９は蓋部材１３側に位置しており、蓋部材１３の円筒部６６によって、収納空間２６に収納された彫刻刀９０が外部に出ることを阻止することができる。
【００４９】
次に、本実施形態の収納ケース１の開閉動作について、説明する。
図１１〜図１７は、収納部材１０、蓋部材１３及びスライド部材１２の関係を、横方向（図１、図２において、左下側から右上側に向かう方向）から見た状態で示した図であり、特に、図１５〜図１７については、本体部材１１の底面部４８との関係も加えて示している。なお、アーム３８側から見た図のみを図示しているが、対称形であるのでアーム３７の動きについても同様である。
【００５０】
図１に示すような蓋部材１３を閉じた状態の、収納部材１０、蓋部材１３及びスライド部材１２の関係は、図１１に示されている。そして、この状態では、収納部材１０は傾いておらず、また、蓋部材１３が開く方向に回転力が働いているにもかかわらず、蓋部材１３とスライド部材１２は係止部６４と係止部６９によって係合されているので閉じた状態を維持している。
【００５１】
そして、図１１の状態から操作部６１を移動させることにより、スライド部材１２をスライドして、図１２に示されるように係止部６４と係止部６９との係合を解くと、上記したようにばね７０による回転力により、蓋部材１３は開く方向に回転する。この回転の回転軸は長手方向に対して垂直である。また、スライド部材１２は、付勢部６３により付勢されているので、力を抜くことによりものと方向に戻る。この状態を示したのが図１３である。
【００５２】
さらに、蓋部材１３は回転して、図１４から図１５、図１６の状態を経て、図１７の状態となって蓋部材１３が完全に開く。このとき、挿入部材６０の外側と、蓋部材１３の円筒部６６の内側との摩擦により徐々に開いていく。特に、本実施形態では、粘性体が用いられているので、開く速度がゆっくりした速度で安定する。
【００５３】
先端部３８ａは欠落部８０に配置されているので、欠落部８０の当接面８１が先端部３８ａに接触して先端部３８ａが押されることにより移動する。このとき、収納部材１０は、本体部材１１に対して軸突起４３によって回転可能に軸支されているので、軸突起４３を軸として回転する。この回転の回転軸は長手方向に対して垂直であり、回転によって、収納物の長手方向が傾斜する。
そして、収納部材１０は、図１５、図１６、図１７に示されるように、蓋部材１３が回転するに伴って傾斜する。
【００５４】
図１７に示すように、蓋部材１３が完全に開くと、収納部材１０の傾斜が最大となり、円筒部６６の位置が、収納空間２６から開口３９へと向く方向から外れることとなる。したがって、収納空間２６に収納された彫刻刀９０を出し入れする際にスムーズに行うことができる。また、このような状態となるのは、収納部材１０の傾きが最大となる図１７の状態であり、蓋部材１３が開く途中段階では収納空間２６に収納された彫刻刀９０の長手方向の移動を蓋部材１３の円筒部６６によって阻止するので彫刻刀９０が外部に飛び出してしまうことが無く安全である。
【００５５】
また、蓋部材１３は、回転可能な範囲が広く、具体的には１８０°以上であり、板部６７の先端が、本体部材１１の底面部４８よりも下側に位置することとなる。そして、図１６、図１７に示されるように、本体部材１１の底面部４８を下にして、平面状の場所の置いた場合には、底面部４８の蓋部材１３側が浮いた状態となって傾く。したがって、収納ケース１を使用する際に、蓋部材１３が開いた状態で置いておく場合には、適度な傾斜を有することとなり、彫刻刀９０が外部に出るおそれが小さく安全である。
【００５６】
そして、蓋部材１３を閉じる際には、蓋部材１３を反転させることにより行われる。具体的には、図１７の状態から図１６、図１５、図１４、図１３、図１２の状態を経て図１１の状態となる。なお、収納部材１０の傾きが小さくなるのは、当接面８１が先端部３８ａを押すのではなく、重力により先端部３８ａが当接面８１に接触することによる。
また、閉じる際にはスライド部材１２を操作しなくとも、係止部６４，６９の凸部６４ａ，６９ａが傾斜しているので、スライド部材１２が自動的に移動し、係合を行うことができる。
【００５７】
したがって、収納ケース１を開くときには、スライド部材１２を操作するだけで行うことができ、また、閉じる際には、蓋部材１３を閉じる方向に回転させるだけで行うことができる。さらに、彫刻刀９０を使用する際に蓋部材１３が開いた状態で置いておいても、適度な傾斜を有することとなり、彫刻刀９０が外部に出るおそれが小さく安全である。
【００５８】
上記実施形態の収納ケース１は、彫刻刀９０を収納するものであったが、長尺状であれば、他のものでもの良く、筆、ボールペン等の筆記具、箸等を収納物とすることもできる。
【図面の簡単な説明】
【００５９】
【図１】本発明の収納ケースを閉じた状態で示した斜視図である。
【図２】本発明の収納ケースを開いた状態で示した斜視図である。
【図３】収納部材を示した斜視図である。
【図４】底ケース部材を示した斜視図である。
【図５】上ケース部材を示した斜視図である。
【図６】上ケース部材を示した斜視図である。
【図７】本体ケースを示した斜視図である。
【図８】スライド部材を示した斜視図である。
【図９】蓋部材と挿入部材とばねとを示した斜視図である。
【図１０】（ａ）が蓋部材及び挿入部材の内部とばねとを示した斜視図であり、（ｂ）が（ａ）のＡ方向から見た斜視図である。
【図１１】収納部材、蓋部材及びスライド部材の関係を横から見た状態で示した模式図である。
【図１２】収納部材、蓋部材及びスライド部材の関係を横から見た状態で示した模式図である。
【図１３】収納部材、蓋部材及びスライド部材の関係を横から見た状態で示した模式図である。
【図１４】収納部材、蓋部材及びスライド部材の関係を横から見た状態で示した模式図である。
【図１５】収納部材、蓋部材、スライド部材及び本体部材の底面の関係を横から見た状態で示した模式図である。
【図１６】収納部材、蓋部材、スライド部材及び本体部材の底面の関係を横から見た状態で示した模式図である。
【図１７】収納部材、蓋部材、スライド部材及び本体部材の底面の関係を横から見た状態で示した模式図である。
【図１８】収納物として用いられる彫刻刀の斜視図である。
【符号の説明】
【００６０】
１  収納ケース
１０  収納部材
１１  本体部材
１２  スライド部材
１３  蓋部材
２６  収納空間
３７ａ  先端部（接触部）
３８ａ  先端部（接触部）
３９  開口
６０  挿入部材
６４  係止部
６６  円筒部
６７  板部
６９  係止部
８１  当接面
【要約】
【課題】  長尺状の収納物を出し入れ可能に収納でき、開閉がしやすく、使用時には開放状態として収納物の交換が行いやすい収納ケースを提供することを課題とする。
【解決手段】  蓋部材１３は開く方向に回転力が付与されており、スライド部材１２の係止部と蓋部材１３の係止部６９を係合することによって、開口３９を封鎖する状態を維持する。また、開く際には、スライド部材１２を移動させることにより、前記係合がはずれて自動的に開き、また、閉じるときには蓋部材１３を反転させることにより行う。さらに、蓋部材１３が開くと、収納部材１０が回転して傾斜するので、取り出しやすく蓋を開けた状態でも収納物が外部に出にくい。
【選択図】  図２
【図１】
0003642494.tif 000002
【図２】
0003642494.tif 000003
【図３】
0003642494.tif 000004
【図４】
0003642494.tif 000005
【図５】
0003642494.tif 000006
【図６】
0003642494.tif 000007
【図７】
0003642494.tif 000008
【図８】
0003642494.tif 000009
【図９】
0003642494.tif 000010
【図１０】
0003642494.tif 000011
【図１１】
0003642494.tif 000012
【図１２】
0003642494.tif 000013
【図１３】
0003642494.tif 000014
【図１４】
0003642494.tif 000015
【図１５】
0003642494.tif 000016
【図１６】
0003642494.tif 000017
【図１７】
0003642494.tif 000018
【図１８】
0003642494.tif 000019